(57)【要約】【課題】  グレア抑制に効果のあるルーバーを用いながらも、蛍光ランプの交換・清掃作業を能率良く容易に行うことのできる照明器具を提供する。【解決手段】  蛍光ランプ１７を付け替え自在に保持するランプソケット１９を備えたランプ部C２の照射開口部１８Ｃにルーバー２３が脱着自在に取付けられ、このルーバー２３には、ランプ部Ｃ２のランプソケット１９に対する蛍光ランプ１７の照射開口部１８Ｃ側からの脱着移動を許容するランプ通過用開口２４が形成されている。【選択図】        図４
2006032019.tif 000002
【特許請求の範囲】
【請求項１】
蛍光ランプを付け替え自在に保持するランプソケットを備えたランプ部の照射開口部にルーバーが脱着自在に取付けられている照明器具であって、
前記ルーバーに、ランプ部のランプソケットに対する蛍光ランプの照射開口部側からの脱着移動を許容するランプ通過用開口が形成されている照明器具。
【請求項２】
机上面の後方上方位置に配置されるランプ部の照射開口部にルーバーが脱着自在に取付けられている照明器具であって、
前記ルーバーに、ランプ部のランプソケットに対する蛍光ランプの照射開口部側からの脱着移動を許容するランプ通過用開口が形成されている照明器具。
【請求項３】
机本体の天板上面に対して脱着自在に取付けられる書棚に、蛍光ランプを付け替え自在に保持するランプソケットを設けてあるランプ部と書棚に取付けられるランプ支持部を備えた照明器具が設けられ、この照明器具のランプ部の照射開口部にルーバーが脱着自在に取付けられている棚付き机であって、
前記ルーバーに、ランプ部のランプソケットに対する蛍光ランプの照射開口部側からの脱着移動を許容するランプ通過用開口が形成されているとともに、ランプ支持部に対するランプ部の揺動により、ルーバーのランプ通過用開口が下方に向く姿勢と前方側に向く姿勢とに変更自在に構成されている棚付き机。
【請求項４】
前記ルーバーのランプ通過用開口よりも前方の領域には、蛍光ランプの光軸中心と平行又は略平行な複数のルーバー片が配置されている請求項２記載の照明器具。
【請求項５】
前記ランプ部の合成樹脂製のセードにおける前端縁の左右中央部には、前方側に突出する把手の上半側を構成する把持部が一体成形されているとともに、合成樹脂製のルーバーにおける前端縁の左右中央部には、前記把手の下半側を構成する把持部が一体成形されている請求項２又は４記載の照明器具。
【請求項６】
前記ランプ通過用開口の左右両側部には、これに連通する状態で蛍光ランプの口金及びピンの通過移動を案内する階段状の通過ガイド口が形成されている請求項２，４又は５記載の照明器具。
【発明の詳細な説明】
【技術分野】
【０００１】
本発明は、例えば、机上面の照度を確保しながら、机の手前側に着座して読書や筆記等を行う使用者の目に入るグレア（まぶしさ）を抑制することができるように、蛍光ランプを付け替え自在に保持するランプソケットを備えたランプ部の照射開口部にルーバーが脱着自在に取付けられている照明器具及びそれを用いた棚付き机に関する。
【背景技術】
【０００２】
棚付き机等に用いられる照明器具のルーバー取付け構造としては、従来、ランプ部の照射開口部の開口縁を、左右方向に長い矩形状或いは前後両側縁が平行となる長円形状に形成するとともに、前記ルーバーを、ランプ部の照射開口部の全域を覆う状態で開口縁に沿う輪郭形状に形成された単一の成形品から構成し、このルーバーのうち、前後方向中心線と左右方向中心線との交差点周りで点対称となる二箇所にビス孔を貫通形成し、更に、ランプ部のうち、ルーバーのビス孔と相対向する部位の各々に雌ネジ部を形成し、ルーバーのビス孔を通してランプ部の雌ネジ部に固定ビスを螺合締結することにより、ルーバーをランプ部に対して着脱自在に固定するように構成されている（特許文献１、２参照）。
【０００３】
【特許文献１】特開平９−１９８９１１号公報
【特許文献１】特開平１１−６６９４６号公報
【発明の開示】
【発明が解決しようとする課題】
【０００４】
従来の照明器具では、蛍光ランプの交換作業や清掃作業を行う場合、固定ビスと雌ネジ部との螺合締結を解除し、ランプ部の照射開口部からルーバーを取り外してランプ交換・清掃作業を行った後、取り外したルーバーを再び固定ビスでランプ部の照射開口部に固定しなければならないため、蛍光ランプの交換・清掃作業に多くの手間を要していた。
【０００５】
本発明は、上述の実状に鑑みて為されたものであって、その主たる課題は、グレア抑制に効果のあるルーバーを用いながらも、蛍光ランプの交換・清掃作業を能率良く容易に行うことのできる照明器具及びそれを用いた棚付き机を提供する点にある。
【課題を解決するための手段】
【０００６】
本発明による第１の特徴構成は、蛍光ランプを付け替え自在に保持するランプソケットを備えたランプ部の照射開口部にルーバーが脱着自在に取付けられている照明器具であって、
前記ルーバーに、ランプ部のランプソケットに対する蛍光ランプの照射開口部側からの脱着移動を許容するランプ通過用開口が形成されている点にある。
【０００７】
上記特徴構成によれば、ランプ部の照射開口部にルーバーが取付けられていても、このルーバーにはランプ通過用開口が形成されているため、このランプ通過用開口を通して、照射開口部側からランプ部のランプソケットに蛍光ランプを簡単に装着することができるとともに、ランプ部のランプソケットに装着されている蛍光ランプを照射開口部側に簡単に取り外すことができる。
【０００８】
それでいて、ルーバーのうち、ランプ通過用開口の外側縁に位置するルーバー部分によって蛍光ランプから外側方に照射される光の一部を反射することができる。
【０００９】
従って、ルーバーを一々取り外す必要性が無く、ルーバーを装着したままの状態で蛍光ランプの交換・清掃作業を能率良く容易に行うことができる。
【００１０】
本発明による第２の特徴構成は、机上面の後方上方位置に配置されるランプ部の照射開口部にルーバーが脱着自在に取付けられている照明器具であって、
前記ルーバーに、ランプ部のランプソケットに対する蛍光ランプの照射開口部側からの付け替え移動を許容するランプ通過用開口が形成されている点にある。
【００１１】
上記特徴構成によれば、机上面の後方上方位置に配置されるランプ部の照射開口部にルーバーが取付けられていても、このルーバーにはランプ通過用開口が形成されているため、このランプ通過用開口を通して、照射開口部側からランプ部のランプソケットに蛍光ランプを簡単に装着することができるとともに、ランプ部のランプソケットに装着されている蛍光ランプを照射開口部側に簡単に取り外すことができる。
【００１２】
それでいて、ルーバーのうち、ランプ通過用開口の前方側に位置するルーバー部分によって、蛍光ランプから前方側に照射される光の一部を反射することができ、机の手前側に着座して読書や筆記等を行う使用者の目に入るグレア（まぶしさ）を抑制することができる。
【００１３】
従って、ルーバーを一々取り外す必要性が無く、ルーバーを装着したままの状態で蛍光ランプの交換・清掃作業を能率良く容易に行うことができる。
【００１４】
本発明による第３の特徴構成は、机本体の天板上面に対して脱着自在に取付けられる書棚に、蛍光ランプを付け替え自在に保持するランプソケットを設けてあるランプ部と書棚に取付けられるランプ支持部とを備えた照明器具が設けられ、この照明器具のランプ部の照射開口部にルーバーが脱着自在に取付けられている棚付き机であって、
前記ルーバーに、ランプ部のランプソケットに対する蛍光ランプの照射開口部側からの脱着移動を許容するランプ通過用開口が形成されているとともに、ランプ支持部に対するランプ部の揺動により、ルーバーのランプ通過用開口が下方に向く姿勢と前方側に向く姿勢とに変更自在に構成されている点にある。
【００１５】
上記特徴構成によれば、机本体の天板上面に対して脱着自在な書棚に配置されるランプ部の照射開口部にルーバーが取付けられていても、このルーバーにはランプ通過用開口が形成されており、しかも、ルーバーのランプ通過用開口が下方に向く姿勢から前方側に向く姿勢に自由に変更することができるため、このランプ通過用開口を通して、照射開口部側から器具本体のランプソケットに蛍光ランプを無理なく簡単に装着することができるとともに、器具本体のランプソケットに装着されている蛍光ランプを照射開口部側に無理なく簡単に取り外すことができる。
【００１６】
それでいて、ルーバーのうち、ランプ通過用開口の前側縁に位置する部分によって蛍光ランプから前方側に照射される光の一部を反射することができ、机の手前側に着座して読書や筆記等を行う使用者の目に入るグレア（まぶしさ）を抑制することができる。
【００１７】
従って、ルーバーを一々取外す必要性が無く、ルーバーを装着したままの状態で蛍光ランプの交換・清掃作業を能率良く容易に行うことができる。
【００１８】
本発明による第４の特徴構成は、前記ルーバーのランプ通過用開口よりも前方の領域には、蛍光ランプの光軸中心と平行又は略平行な複数のルーバー片が配置されている点にある。
【００１９】
上記特徴構成によれば、ルーバーのうち、ランプ通過用開口よりも前方の領域に配置された蛍光ランプの光軸中心と平行又は略平行な複数のルーバー片により、蛍光ランプから前方側に照射される光の一部を反射することができ、机の手前側に着座して読書や筆記等を行う使用者の目に入るグレア（まぶしさ）を抑制することができる。
【００２０】
本発明による第５の特徴構成は、前記ランプ部の合成樹脂製のセードにおける前端縁の左右中央部に、前方側に突出する把手の上半側を構成する把持部が一体成形成されているとともに、合成樹脂製のルーバーにおける前端縁の左右中央部には、前記把手の下半側を構成する把持部が一体成形されている点にある。
【００２１】
上記特徴構成によれば、セードの前端縁の左右中央部に一体成形された把持部とルーバーの前端縁の左右中央部に一体成形された把持部とをもって、ランプ部の照射位置や向き姿勢を調節するための操作用の把手を構成することができるとともに、ルーバーの把持部及びセードの把持部を透過する光を利用して把手の存在感を高めることができる。
【００２２】
本発明による第６の特徴構成は、前記ランプ通過用開口の左右両側部には、これに連通する状態で蛍光ランプの口金及びピンの通過移動を案内する階段状の通過ガイド口が形成されている点にある。
【００２３】
上記特徴構成によれば、ランプ通過用開口に連通する通過ガイド口が、蛍光ランプの口金及びピンの輪郭形状と似た階段状に形成されているため、蛍光ランプの口金及びピンを通過ガイド口に合わせ易くなり、蛍光ランプの脱着操作を容易に行うことができる。
【００２４】
〔第１実施形態〕
図１、図２は、棚付き机の一例である書棚付き学習机を示し、これは、机本体Ａと、これの天板１上面（机上面）の後部位置に対して脱着自在に取付けられる書棚Ｂとから構成され、更に、書棚Ｂは、下側棚Ｂ１とこれの上端に脱着自在に固定連結される上側棚Ｂ２とから構成されているとともに、下側棚Ｂ１の背面板３と中央仕切り板６とで形成される入隅部には、天板１上面の後方上方位置に配置されるランプ部Ｃ２が上側棚Ｂ２の棚板９の下部に入り込む位置と天板１上面側に突出する位置とに亘って位置変更操作自在に構成された机上面用の照明用器具Ｃが脱着自在に取付けられている。
【００２５】
前記下側棚Ｂ１は、左右方向で相対向する一対の棚側板２と一枚の背面板３とに亘って一枚の棚板４が水平姿勢で連設されているとともに、棚板４の右半部の下面には左右一対の引出し５が取付けられ、更に、棚板４の右半部の上面には、左右方向に間隔を隔てて二枚の書籍受け用の仕切り板６が立設されている。
【００２６】
前記上側棚Ｂ２は、左右方向で相対向する一対の棚側板７と一枚の背面板８とに亘って一枚の棚板９が水平姿勢で連設されているとともに、棚板９の上面には、左右方向に間隔を隔てて二枚の書籍受け用の仕切り板１０が立設されている。
【００２７】
前記照明用器具Ｃは、図１、図２に示すように、下側棚Ｂ１の背面板３に対してそれの後面側から挿入される複数本のボルト１２を介して脱着自在に締付け固定される第１横軸芯Ｘ１周りで揺動操作自在な中折れ式のランプ支持部Ｃ１と、このランプ支持部Ｃ１の上端部に対して第２横軸芯Ｘ２周りで揺動操作自在に枢支連結されるランプ部Ｃ２とから構成されている。
【００２８】
前記ランプ支持部Ｃ１は、下側棚Ｂ１の中央仕切り板６に沿って背面板３にボルト止めされる角パイプ状の固定アーム１３と、この固定アーム１３の上端部に第１横軸芯Ｘ１周りで前後揺動自在にボルト・ナットを介して取付けられる角パイプ状の可動アーム１４とから構成されている。
【００２９】
前記ランプ部Ｃ２は、図４〜図６に示すように、ランプ支持部Ｃ１の可動アーム１４の先端部に第２横軸芯Ｘ２周りで前後揺動自在にボルト・ナットを介して取付けられる筒状の連結アーム１６に、蛍光ランプ１７に対する点灯制御機器を内装する制御ケース部１８Ａを一体成形してある合成樹脂製のセード１８を固定連結するとともに、前記セード１８には、直管形の蛍光ランプ１７の光軸中心方向両端部に設けられている一対のピン１７Ａを付け替え自在に保持する回転式のランプソケット１９と、蛍光ランプ１７の上側を覆う反射板２０を取付けて構成されている。
【００３０】
また、前記セード１８の制御ケース部１８Ａから下方に突出形成されたスイッチケース部１８Ｂのパネル面１８ｂが、セード１８の照射開口部１８Ｃの開口縁１８ａが水平姿勢にあるとき、机本体Ａの手前側に着座した使用者から最も操作し易い前傾面、つまり、下端ほど可動アーム１４側に近づく前傾面に構成されているとともに、このスイッチケース部１８Ｂのパネル面１８ｂには、点灯用スイッチ２１と調光スイッチ２２とが配設されている。
【００３１】
そして、図３〜図６に示すように、前記ランプ部Ｃ２を構成するセード１８の開口縁１８ａには、照射開口部１８Ｃの前方側及び左右両端側を覆う平面視略偏平コの字状の合成樹脂製のルーバー２３が複数本のビス２５を介して着脱自在に取付けられているとともに、このルーバー２３の偏平コの字状の内側縁２３ａをもって、ルーバー２３をセード１８に装着した状態において、左右のランプソケット１９に対する蛍光ランプ１７の照射開口部１８Ｃ側からの脱着移動を許容するランプ通過用開口２４が形成されている。
【００３２】
そのため、セード１８の照射開口部１８Ｃにルーバー２３が取付けられていても、このルーバー２３に形成されているランプ通過用開口２４を通して、照射開口部１８Ｃ側からセード１８の両ランプソケット１９に蛍光ランプ１７を簡単に装着することができるとともに、セード１８の両ランプソケット１９に装着されている蛍光ランプ１７を照射開口部１８Ｃ側に簡単に取り外すことができる。
【００３３】
尚、当該実施形態では、図４に示すように、セード１８の照射開口部１８Ｃの開口縁１８ａが水平姿勢にあるとき、セード１８の両ランプソケット１９に保持されている蛍光ランプ１７の最前端を通る鉛直線に対して、照射開口部１８Ｃを形成するルーバー２３の内側縁２３ａが僅かに後方側（ランプ支持部Ｃ１側）に位置するため、セード１８の両ランプソケット１９に対して後方下方の斜め方向から蛍光ランプ１７を脱着移動させる必要がある。
【００３４】
これは、使用者の目に入るグレアを抑制するために、ルーバー２３のうち、ランプ通過用開口２４よりも前方側に位置する比較的幅広な領域に後述の複数のルーバー片２３Ｄを設けたためであるが、前述のように、ルーバー２３自体が平面視略偏平コの字状に成形されていて、ランプ通過用開口２４の後方側が開放されているため、蛍光ランプ１７の交換・清掃作業はスムーズに行うことができる。
【００３５】
また、ランプ支持部Ｃ１の固定アーム１３と可動アーム１４との第１横軸芯Ｘ１周りでの相対揺動操作と、ランプ支持部Ｃ１の可動アーム１４とランプ部Ｃ２の連結アーム１６との第２横軸芯Ｘ２周りでの相対揺動操作とにより、ルーバー２３のランプ通過用開口２４が下方に向く姿勢と前方側に向く姿勢とに変更自在に構成されているから、ルーバー２３を装着したままの状態で蛍光ランプ１７の交換・清掃作業を行う場合には、ランプ通過用開口２４が前方下方に向く姿勢又は前方側に水平に向く姿勢に変更することにより、蛍光ランプ１７の交換・清掃作業を楽な姿勢で能率良く容易に行うことができる。
【００３６】
更に、ランプ通過用開口２４の左右両側部には、これに連通する状態で蛍光ランプ１７の口金１７Ｂ及びピン１７Ａの通過移動を案内する階段状の通過ガイド口２４ａが形成されている。
【００３７】
この場合、ランプ通過用開口２４に連通する通過ガイド口２４ａが、蛍光ランプ１７の口金１７Ｂ及びピン１７Ａの輪郭形状と似た階段状に形成されているため、蛍光ランプ１７の口金１７Ｂ及びピン１７Ａを通過ガイド口２４ａに合わせ易くなり、蛍光ランプ１７の脱着操作を容易に行うことができる。
【００３８】
前記ルーバー２３のうち、左右両端側に位置する取付け板部２３Ａの一箇所及び左右中央に位置する取付け板部２３Ｂの二箇所には、ルーバー２３をセード１８に取付けるためのビス孔２３ｅが形成されているとともに、セード１８における前端縁の左右中央部には、前方側にアーチ状に突出する把手２６の上半側を構成する把持部１８Ｄが一体成形され、更に、ルーバー２３の中央側取付け板部２３Ｂの前端縁には、前記アーチ状把手２６の下半側を構成する把持部２３Ｃが一体成形され、このルーバー２３の把持部２３Ｃの中手方向中央位置には、セード１８の把持部１８Ｄにビスで締付け固定するためのビス孔２３ｅが形成されている。
【００３９】
そして、セード１８の前端縁の左右中央部に一体成形された把持部１８Ｄとルーバー２３の前端縁の左右中央部に一体成形された把持部２３Ｃとをもって、ランプ部Ｃ２の照射位置や向き姿勢を調節するための操作用の把手２６を構成することができるとともに、合成樹脂で一体成形されるルーバー２３の把持部２３Ｃ及びセード１８の把持部１８Ｄを透過する蛍光ランプ１７からの光を利用してアーチ状把手２６の存在感を高めることができる。
【００４０】
前記ルーバー２３のうち、両端側取付け板部２３Ａと中央側取付け板部２３Ｂとの間においてランプ通過用開口２４よりも前方側に位置するルーバー領域には、蛍光ランプ１７の光軸中心と平行又は略平行な複数のルーバー片２３Ｄが一体形成されているとともに、ルーバー２３の外側縁に沿って立ち上げ形成された側壁部２３Ｅの先端側には、セード１８の照射開口部１８Ｃに対して下方から脱着自在に内嵌する嵌合壁部分２３ｂと、セード１８の開口縁１８ａに対して下方から当接する嵌合深さ規制用の鍔部２３ｄとが一体形成されている。
【００４１】
そして、前記ルーバー２３のうち、ランプ通過用開口２４の前方側に位置する複数のルーバー片２３Ｄによって、蛍光ランプ１７から前方側に照射される光の一部を反射することができ、机の手前側に着座して読書や筆記等を行う使用者の目に入るグレア（まぶしさ）を抑制することができる。
【００４２】
前記セード１８における前半側の左右中央部には、蛍光ランプ１７から照射される光の一部が透過する合成樹脂製の光窓２７が形成されている。
【００４３】
〔その他の実施形態〕
（１）上述の実施形態では、前記ルーバー２３を、セード１８の照射開口部１８Ｃの前方側及び左右両端側を覆う平面視略偏平コの字状に形成して、このルーバー２３の偏平コの字状の内側縁２３ａをもって、ルーバー２３をセード１８に装着した状態において、左右のランプソケット１９に対する蛍光ランプ１７の照射開口部１８Ｃ側からの脱着移動を許容するランプ通過用開口２４を構成したが、この構成に限定されるものではなく、例えば、ルーバー２３を、セード１８の照射開口部１８Ｃ全域を覆う大きさに形成するとともに、ルーバー２３のうち、セード１８の両ランプソケット１９に保持されている蛍光ランプ１７の直下に相当する中央部位に、ランプソケット１９に対する蛍光ランプ１７の照射開口部１８Ｃ側からの脱着移動を許容するランプ通過用開口２４を切欠形成して実施してもよい。
【００４４】
（２）上述の実施形態では、ルーバー２３に形成されたランプ通過用開口２４を常時開放するように構成してが、図８に示すように、このランプ通過用開口２４を第３横軸芯Ｘ３周りでの揺動により開閉するルーバー部３０を設けて実施してもよい。
詳しくは、ルーバー２３の後端部に、蛍光ランプ１７の光軸中心と平行又は略平行な複数のルーバー片３０Ａが一体形成されているルーバー部３０を、蛍光ランプ１７の光軸中心と平行又は略平行な第３横軸芯Ｘ３周りで揺動開閉自在に枢着するとともに、ルーバー２３とルーバー部３０との相対向する部位に、ランプ通過用開口２４を閉止する姿勢でルーバー部３０を係合保持するロック状態とランプ通過用開口２４を開放するロック解除姿勢とに切換操作自在なロック操作手段を設ける。
また、前記ルーバー部３０を、ルーバー２３に対してワンタッチ操作で脱着できるように構成してもよい。
【図面の簡単な説明】
【００４５】
【図１】本発明の第１実施形態を示す棚付き机の要部の正面図
【図２】棚付き机の要部の断面側面図
【図３】照明器具のランプ部の拡大正面図
【図４】照明器具のランプ部の拡大断面側面図
【図５】ルーバーの拡大正面図
【図６】ランプ部の拡大正面図
【図７】棚付き机の要部の断面側面図
【図８】本発明の別実施形態を示す要部の断面側面図
【符号の説明】
【００４６】
Ａ        机本体
Ｂ        書棚
Ｃ        照明器具
Ｃ１      ランプ支持部
Ｃ２      ランプ部
１        天板
１７      蛍光ランプ
１７Ａ    ピン
１７Ｂ    口金
１８      セード
１８Ｃ    照射開口部
１８Ｄ    把持部
１９      ランプソケット
２３      ルーバー
２３Ｃ    把持部
２３Ｄ    ルーバー片
２４      ランプ通過用開口
２４ａ    通過ガイド口
【図１】
2006032019.tif 000003
【図２】
2006032019.tif 000004
【図３】
2006032019.tif 000005
【図４】
2006032019.tif 000006
【図５】
2006032019.tif 000007
【図６】
2006032019.tif 000008
【図７】
2006032019.tif 000009
【図８】
2006032019.tif 000010